【事件の表示】
　特願２０１５−５４６８０９「タッチスクリーン電子デバイスの入力方法及び装置」拒絶査定不服審判事件〔平成２６年　６月２６日国際公開、ＷＯ２０１４／０９４４１６、平成２８年　１月１８日国内公表、特表２０１６−５０１４９０〕について、次のとおり審決する。
【結　論】
　本件審判の請求は、成り立たない。
【理　由】
１．手続の経緯
　本願は、２０１３年７月３日（パリ条約による優先権主張外国庁受理２０１２年１２月１７日、中華人民共和国）を国際出願日とする出願であって、平成２８年５月３１日付けの拒絶の理由の通知に対して、同年９月７日付けで意見書が提出されるとともに、同日付で手続補正がなされたが、同年１２月１２日付けで拒絶をすべき査定がされ、これに対し平成２９年４月２０日に拒絶査定不服審判の請求がなされたものである。
　
２．本願発明
　本願の請求項１〜１６に係る発明は、平成２８年９月７日付け手続補正により補正された特許請求の範囲の請求項１〜１６に記載された事項により特定されるとおりのものであるところ、その請求項１に係る発明（以下「本願発明」という。）は次のとおりのものと認める。 
　
「【請求項１】
　タッチスクリーン電子デバイスの入力方法であって、
　前記タッチスクリーン電子デバイスのタッチスクリーン上に仮想キーボードを表示するステップであって、前記仮想キーボードは、前記仮想キーボードに表示されている文字上でのユーザにより実行されるタッチ動作にしたがって対応する文字情報を入力し、前記仮想キーボード上に文字セットの一部を表示するように構成されている、ステップと、
　第１動作命令を取得するステップと、
　前記第１動作命令に従って、前記仮想キーボードに表示されている前記文字セットの一部を、前記文字セットの残りの一部に置き換えるステップと、
を具備し、
　前記仮想キーボードに表示される前記文字セットの一部の数は、前記タッチスクリーン電子デバイスの前記タッチスクリーンのスクリーンサイズ、文字サイズ、キー間隔、及び／又は行間隔にしたがって決定されることを特徴とするタッチスクリーン電子デバイスの入力方法。」
　
３．引用例に記載された発明
　これに対して、原査定の拒絶の理由に引用された、特開２０１１−２５７９５１号公報、平成２３年１２月２２日公開（以下、「引用例」という。）には、図面とともに以下の事項が記載されている。なお、下線は重要箇所についき、当審において付与した。
　
Ａ．「【００１１】
　また、本発明の別の観点によれば、所定の配列を有する複数の項目を所定の配列で並べて案内領域に表示し、案内領域上で指定される指定範囲に含まれる一連の項目を、案内領域に表示される項目よりも拡大し、所定の配列で１列に並べて選択領域に表示するステップと、案内領域上で指定範囲が移動操作されると、移動操作後の指定範囲に含まれる一連の項目を所定の配列で１列に並べて選択領域に表示し、選択領域上で一連の項目がスクロール操作されると、スクロール操作後の選択領域に表示される一連の項目が指定範囲に含まれるように案内領域の表示を更新するステップと、
選択領域上での選択操作に応じて項目の選択を決定するステップとを含む情報処理方法
Ｂ．「【００１６】
［１．携帯情報端末１の構成］
　まず、図１および図２を参照しながら、本発明の実施形態に係る携帯情報端末１の構成について説明する。なお、以下では、小型のタッチパネルディスプレイ３を備えた情報処理装置の一例として携帯情報端末１について説明するが、小型のタッチパネルディスプレイ３を備えたオーディオ機器、家電機器等の電子機器についても同様に説明することができる。
【００１７】
　図１には、本発明の実施形態に係る携帯情報端末１の外観が示されている。図１に示すように、携帯情報端末１は、カード状のケース本体２と、ケース本体２の一面に設けられたタッチパネルディスプレイ３を有する。
【００１８】
　
タッチパネルディスプレイ３のパネル面には、後述する文字入力用や画像選択用等のＧＵＩが表示される。
【００１９】
　図２には、携帯情報端末１の主要な機能構成が示されている。図２に示すように、携帯情報端末１は、タッチパネルディスプレイ３、記憶部４、表示制御部５および制御部６を含む。
【００２０】
　
タッチパネルディスプレイ３は、表示パネル３ａ（表示部）にタッチパネル３ｂを積層して構成される。
【００２１】
　タッチパネル３ｂは、指Ｐ、スタイラス等からなるポインタのパネル面に対する接触状態を検知する。タッチパネル３ｂは、パネル面に対するポインタＰの接触／非接触状態の変化に応じて、接触信号／解除信号を制御部６に供給する。また、
タッチパネル３ｂは、パネル面にポインタＰが接触している間に、接触位置に対応するＸ、Ｙ座標信号を制御部６に供給する。これにより、パネル面に対して行われるスクロール操作やタップ操作が検知される。
Ｃ．「【００３１】
　図４には、本発明の実施形態に係る文字入力用ＧＵＩが表示されている。図４に示す
ＧＵＩには、文字表示領域１１１および文字表示領域１１１以外の文字選択領域が設けられ
【００３２】
　文字表示領域１１１には、文字選択領域上で選択された一連の文字からなる文字列（例えば「ＧＵ」という文字列）と、文字の挿入位置を示すカーソル（「｜」として示される。）が表示されている。
文字選択領域には、ガイド領域（案内領域）１１２、キー選択領域（選択領域）１１３、文字種切替キー１１４、
が表示されている。
【００３３】
　ガイド領域１１２には、所定の配列を有する複数の項目、つまり複数の文字からなる文字列が所定の配列で１列に並べて表示される。また、ガイド領域１１２には、ガイド領域１１２上で指定される指定範囲を示すガイド枠１１２ａが表示される。
【００３４】
　
キー選択領域１１３には、ガイド領域１１２上でガイド枠１１２ａにより指定される一連の項目、つまり一連の文字が、ガイド領域１１２に表示される文字よりも拡大され、所定の配列で１列に並べて表示される。
【００３５】
　例えば、文字種切替キー１１４により文字種として英大文字が選択されると、図４に示すように、ガイド領域１１２およびキー選択領域１１３が表示される。ガイド領域１１２には、「Ａ」−「Ｚ」の英大文字がアルファベット順に表示され、例えば「Ａ」−「Ｆ」の文字を囲むガイド枠１１２ａが表示される。また、
キー選択領域１１３上には、ガイド枠１１２ａにより指定された「Ａ」−「Ｆ」の文字を割当てられた６つのキーが拡大されて、アルファベット順に１列に並べて表示されている。なお、ガイド枠１１２ａにより指定される文字の数は、６に限定されず２以上の任意の数に設定される。
【００３６】
　また、文字種切替キー１１４により文字種として数字が選択されると、ガイド領域１１２およびキー選択領域１１３には、図４に示す表示とは異なる表示が行われる。ガイド領域１１２には、「０」−「９」、「．」、「／」、「＊」、「−」、「＋」等の数字・記号が所定の順序に表示され、例えば「０」−「５」の文字を囲むガイド枠１１２ａが表示される。また、キー選択領域１１３上には、ガイド枠１１２ａにより指定された「０」−「５」の文字を割当てられた６つのキーが拡大されて、数字順に１列に並べて表示される。
【００３７】
　図４に示す
ＧＵＩでは、後述するように、ガイド領域１１２に対する移動操作およびキー選択領域１１３に対するタップ操作（および選択的にスクロール操作）を用いて、文字入力が行われる。
【００３８】
　なお、文字表示領域１１１上では、スペースキー１１５がタップされると、カーソル位置にスペース（空白）が挿入され、バックスペースキー１１６がタップされると、カーソル位置の右側の文字が消去され、カーソル移動キー１１７がタップされると、カーソル位置が移動する。また、キャンセルキー１１８がタップされると、文字入力がキャンセルされて入力操作が終了し、ＯＫキー１１９がタップされると、文字入力が確定されて入力操作が終了する。
【００３９】
　図５には、文字入力用ＧＵＩの操作手順が示されている。図５に示すように、表示制御部５は、ガイド領域１１２およびキー選択領域１１３を表示するように、表示パネル３ａを制御する（ステップＳ１１、Ｓ１２）。
【００４０】
　ガイド領域１１２には、所定の配列を有する文字列が所定の配列で並べて表示される。キー選択領域１１３には、ガイド領域１１２上でガイド枠１１２ａにより指定される一連の文字が、ガイド領域１１２に表示される文字列よりも拡大され、所定の配列で１列に並べて表示される。
【００４１】
　表示制御部５は、ガイド領域１１２上でのスクロール操作によりガイド枠１１２ａが移動されると（Ｓ１３）、表示パネル３ａを制御して、ガイド枠１１２ａの移動に連動して、ガイド枠１１２ａにより指定される複数の文字を、所定の配列で１列に並べてキー選択領域１１３に表示する（Ｓ１４）。
【００４２】
　また、表示制御部５は、キー選択領域１１３上で一連の文字がスクロール操作されると（Ｓ１５）、表示パネル３ａを制御して、スクロール操作後のキー選択領域１１３に表示される一連の文字がガイド枠１１２ａにより指定されるように、ガイド領域１１２の表示を更新する（Ｓ１６）。そして、制御部６は、キー選択領域１１３上でタップ操作が行われると（Ｓ１７）、タップされたキーに割当てられた文字の選択を決定する（Ｓ１８）。
【００４３】
　以下では、図６Ａ−６Ｄを参照しながら、図４に示した文字入力用ＧＵＩの操作手順について説明する。図６Ａ−６Ｄには、文字入力用ＧＵＩの操作例が示されている。
【００４４】
　文字種切替キー１１４により文字種として英大文字が選択されると、図６Ａに示すように、ガイド領域１１２には、「Ａ」−「Ｚ」の文字がアルファベット順に表示され、「Ａ」−「Ｆ」の文字を指定するガイド枠１１２ａが表示される。なお、ガイド枠１１２ａは、従前に文字種として英大文字が選択されていた状態で、最後に表示されていた位置に表示されてもよい。
【００４５】
　また、キー選択領域１１３には、ガイド枠１１２ａにより指定された文字「Ａ」−「Ｆ」を割当てられた６つのキーが拡大されて、アルファベット順に１列に並べて表示される。例えば、キー選択領域１１３には、図３に示した一般的な文字入力用ＧＵＩ上に表示されるキーを２倍程度に拡大したキーが表示される。」
【００４６】
　文字種の選択は、タッチパネル３ｂが文字種切替キー１１４に対するタップ操作を検知し、検知結果を制御部６に通知することで行われる。また、ガイド領域１１２およびキー選択領域１１３の表示は、選択された文字種に基づき、表示制御部５が記憶部４から所定の表示データを読出して表示処理を施すことで行われる。
【００４７】
　ユーザは、ガイド領域１１２に対して移動操作Ｍ１を行うことができる。ガイド領域１１２上では、図６Ｂに示すように、ガイド枠１１２ａにふれた指Ｐ（例えば親指Ｐ１）等を左右に移動Ｍ１させると、ガイド枠１１２ａが左右に移動する。つまり、ガイド枠１１２ａが点線表示の位置から実線表示の位置に移動する。そして、ガイド枠１１２ａの移動に連動して、キー選択領域１１３上では、ガイド枠１１２ａにより指定された文字が拡大されて、所定の配列で表示される。ここで、移動操作Ｍ１は、スクロール操作として行われてもよく、タップ操作として行われてもよい。
【００４８】
　ガイド領域１１２に対する移動操作Ｍ１は、タッチパネル３ｂがガイド領域１１２（ガイド枠１１２ａ）に対する移動操作を検知し、検知結果を制御部６に通知することで行われる。また、ガイド領域１１２およびキー選択領域１１３の表示は、指Ｐの移動位置に基づき、表示制御部５が記憶部４から所定の表示データを読出して表示処理を施すことで行われる。
【００４９】
　例えば、ガイド領域１１２上でガイド枠１１２ａが「Ａ」−「Ｆ」の文字を指定する位置から「Ｆ」−「Ｋ」の文字を指定する位置まで移動されると、キー選択領域１１３では、「Ａ」−「Ｆ」の文字に対応するキーの表示が「Ｆ」−「Ｋ」の文字に対応するキーの表示に遷移する。より詳細には、ガイド枠１１２ａの移動に連動してキー選択領域１１３の表示が遷移する。
【００５０】
　同様に、ガイド領域１１２上でガイド枠１１２ａが「Ｆ」−「Ｋ」の文字を指定する位置から「Ａ」−「Ｆ」の文字を指定する位置まで移動されると、キー選択領域１１３では、「Ｆ」−「Ｋ」の文字に対応するキーの表示が「Ａ」−「Ｆ」の文字に対応するキーの表示に遷移する。
【００５１】
　ここで、ガイド枠１１２ａは、スクロール操作に対して所定の加速度を伴って移動してもよい。この場合、ユーザは、ガイド枠１１２ａにふれた指Ｐ等を素早く左右に移動させると、ガイド枠１１２ａが左右に所定の加速度を伴って移動する。ガイド枠１１２ａは、スクロール操作の直後に素早く移動し、その後に除々に減速しながら、指Ｐの移動速度に応じた最終位置で停止する。
【００５２】
　また、
ユーザは、キー選択領域１１３に対してもスクロール操作Ｍ２を行うことができる。キー選択領域１１３上では、図６Ｃに示すように、任意のキーにふれた指Ｐ（例えば人差し指Ｐ２）等を左右に移動Ｍ２させると、一連のキーが左右にスクロールされる。
【００５３】
　
キー選択領域１１３に対するスクロール操作Ｍ２は、タッチパネル３ｂがキー選択領域１１３に対するスクロール操作を検知し、検知結果を制御部６に通知することで行われる。
【００５４】
　例えば、
スクロール操作に応じて、キー選択領域１１３上で「Ａ」−「Ｆ」の文字に対応するキーの表示が「Ｆ」−「Ｋ」の文字に対応するキーの表示に遷移する
【００５５】
　同様に、スクロール操作に応じて、キー選択領域１１３上で「Ｆ」−「Ｋ」の文字に対応するキーの表示が「Ａ」−「Ｆ」の文字に対応するキーの表示に遷移すると、ガイド領域１１３上では、ガイド枠１１２ａが「Ｆ」−「Ｋ」の文字を指定する位置から「Ａ」−「Ｆ」の文字を指定する位置まで移動される。」
　
　以上の記載によれば、引用例には、次の発明（以下「引用発明」という。）が記載されている。
　
「タッチパネルディスプレイ３は、表示パネル３ａ（表示部）にタッチパネル３ｂを積層して構成され、
　タッチパネル３ｂは、パネル面にポインタＰが接触している間に、接触位置に対応するＸ、Ｙ座標信号を制御部６に供給し、パネル面に対して行われるスクロール操作やタップ操作が検知され、
　タッチパネルディスプレイ３のパネル面には、文字入力用や画像選択用等のＧＵＩが表示され、
　ＧＵＩには、文字表示領域１１１および文字表示領域１１１以外の文字選択領域が設けられ、
　文字選択領域には、ガイド領域（案内領域）１１２、キー選択領域（選択領域）１１３、文字種切替キー１１４、が表示されており、
　キー選択領域１１３には、ガイド領域１１２上でガイド枠１１２ａにより指定される一連の項目、つまり一連の文字が、ガイド領域１１２に表示される文字よりも拡大され、所定の配列で１列に並べて表示され、
　ＧＵＩでは、ガイド領域１１２に対する移動操作およびキー選択領域１１３に対するタップ操作（および選択的にスクロール操作）を用いて、文字入力が行われ、
　キー選択領域１１３上には、ガイド枠１１２ａにより指定された「Ａ」−「Ｆ」の文字を割当てられた６つのキーが拡大されて、アルファベット順に１列に並べて表示され、
　ガイド枠１１２ａにより指定される文字の数は、６に限定されず２以上の任意の数に設定され、
　ユーザは、キー選択領域１１３に対してもスクロール操作Ｍ２を行うことができ、キー選択領域１１３上では、任意のキーにふれた指Ｐ等を左右に移動Ｍ２させると、一連のキーが左右にスクロールされ、
　キー選択領域１１３に対するスクロール操作Ｍ２は、タッチパネル３ｂがキー選択領域１１３に対するスクロール操作を検知し、検知結果を制御部６に通知することで行われ、
　スクロール操作に応じて、キー選択領域１１３上で「Ａ」−「Ｆ」の文字に対応するキーの表示が「Ｆ」−「Ｋ」の文字に対応するキーの表示に遷移する情報処理方法。」
４．対比
　本願発明と引用発明を対比する。
　
　引用発明の「タッチパネルディスプレイ３」は、表示パネル３ａ（表示部）にタッチパネル３ｂを積層して構成され、タッチパネル３ｂは、パネル面にポインタＰが接触している間に、接触位置に対応するＸ、Ｙ座標信号を制御部に供給し、パネル面に対して行われるスクロール操作やタップ操作が検知される電子デバイスであるので、引用発明の「タッチパネルディスプレイ３」は、本願発明の「タッチスクリーン電子デバイス」に相当する。
　引用発明のタッチパネルディスプレイ３のパネル面には、文字入力用や画像選択用等のＧＵＩが表示され、ＧＵＩでは、ガイド領域１１２に対する移動操作およびキー選択領域１１３に対するタップ操作を用いて、文字入力が行われるので、引用発明の「パネル面」は、本願発明の「タッチスクリーン」に一致し、また、引用発明の「キー選択領域１１３」は本願発明の「仮想キーボード」に一致する。そして、引用発明のタッチパネルディスプレイ３のパネル面には、文字入力用や画像選択用等のＧＵＩが表示され、ＧＵＩには文字選択領域が設けられ、文字選択領域には、キー選択領域（選択領域）１１３が表示されているので、引用発明の「キー選択領域１１３」も「パネル面」に表示されていることとなり、この点は、本願発明の「タッチスクリーン電子デバイスのタッチスクリーン上に仮想キーボードを表示するステップ」に一致する。
　引用発明のキー選択領域１１３には、ガイド領域１１２上でガイド枠１１２ａにより指定される一連の項目、つまり一連の文字が、ガイド領域１１２に表示される文字よりも拡大され、所定の配列で１列に並べて表示され、ＧＵＩでは、キー選択領域１１３に対するタップ操作を用いて、文字入力が行われているので、引用発明の「一連の文字」は、本願発明の「仮想キーボードに表示されている文字」に一致する。そのため、引用発明の「一連の文字が、ガイド領域１１２に表示される文字よりも拡大され、所定の配列で１列に並べて表示され、ＧＵＩでは、ガイド領域１１２に対する移動操作およびキー選択領域１１３に対するタップ操作（および選択的にスクロール操作）を用いて、文字入力が行われ」ていることは、本願発明の「仮想キーボードは、前記仮想キーボードに表示されている文字上でのユーザにより実行されるタッチ動作にしたがって対応する文字情報を入力」することに一致する。
　引用発明のキー選択領域１１３上には、ガイド枠１１２ａにより指定された「Ａ」−「Ｆ」の文字を割当てられた６つのキーが拡大されて、アルファベット順に１列に並べて表示されているので、引用発明も文字セットの一部を表示するように構成しているといえ、引用発明の「キー選択領域１１３上には、ガイド枠１１２ａにより指定された「Ａ」−「Ｆ」の文字を割当てられた６つのキーが拡大されて、アルファベット順に１列に並べて表示され」ている点は、本願発明の「仮想キーボード上に文字セットの一部を表示するように構成されている」点と一致する。
　引用発明の「キー選択領域１１３上で「Ａ」−「Ｆ」の文字に対応するキーの表示が「Ｆ」−「Ｋ」の文字に対応するキーの表示に遷移する」ことは、本願発明の「仮想キーボードに表示されている前記文字セットの一部を、前記文字セットの残りの一部に置き換えるステップ」に一致する。
　引用発明は、スクロール操作Ｍ２は、タッチパネル３ｂがキー選択領域１１３に対するスクロール操作を検知し、検知結果を制御部６に通知することで行われ、スクロール操作に応じて、キー選択領域１１３上で「Ａ」−「Ｆ」の文字に対応するキーの表示が「Ｆ」−「Ｋ」の文字に対応するキーの表示に遷移しているので、引用発明の「スクロール操作」は本願発明の前記仮想キーボードに表示されている前記文字セットの一部を、前記文字セットの残りの一部に置き換える「第１動作命令」に相当し、また、引用発明の「タッチパネル３ｂがキー選択領域１１３に対するスクロール操作を検知」することは、本願発明の「第１動作命令を取得するステップ」に相当する。
　引用発明は、ガイド枠１１２ａにより指定される文字の数は、６に限定されず２以上の任意の数に設定するものであるので、引用発明の「キー選択領域１１３」に表示される文字の数も６に限定されず２以上の任意の数に設定されることは明らかである。よって、引用発明の「ガイド枠１１２ａにより指定される文字の数は、６に限定されず２以上の任意の数に設定する」ことは、本願発明の「前記仮想キーボードに表示される文字セットの一部の数は、タッチスクリーン電子デバイスのタッチスクリーンのスクリーンサイズ、文字サイズ、キー間隔、及び／又は行間隔にしたがって決定されること」と「仮想キーボードに表示される前記文字セットの一部の数は」「決定されること」である点で共通する。
　引用発明の「情報処理方法」と本願発明の「入力方法」は共にデータを入力する方法である点で共通する。
　
　よって、本願発明と引用発明とは、次の点で一致する。
　
（一致点）
「タッチスクリーン電子デバイスの入力方法であって、
　前記タッチスクリーン電子デバイスのタッチスクリーン上に仮想キーボードを表示するステップであって、前記仮想キーボードは、前記仮想キーボードに表示されている文字上でのユーザにより実行されるタッチ動作にしたがって対応する文字情報を入力し、前記仮想キーボード上に文字セットの一部を表示するように構成されている、ステップと、
　第１動作命令を取得するステップと、
　前記第１動作命令に従って、前記仮想キーボードに表示されている前記文字セットの一部を、前記文字セットの残りの一部に置き換えるステップと、
を具備し、
　前記仮想キーボードに表示される前記文字セットの一部の数が決定されることを特徴とするタッチスクリーン電子デバイスの入力方法。」
　
　一方、両者は次の点で相違する。
　
（相違点）
　本願発明は、仮想キーボードに表示される文字セットの一部の数は、タッチスクリーン電子デバイスのタッチスクリーンのスクリーンサイズ、文字サイズ、キー間隔、及び／又は行間隔にしたがって決定されるものであるのに対して、引用発明は、仮想キーボードに表示される文字セットの一部の数が、タッチスクリーン電子デバイスのタッチスクリーンのスクリーンサイズ、文字サイズ、キー間隔、及び／又は行間隔にしたがって決定されることの特定がなされていない点。
５．当審の判断
（相違点について）
　画面に表示されるアイコンやキーボード画像をクリック等してデータを入力する構成において、アイコンやキーボード画像の大きさや個数を表示デバイスのサイズに合わせて適宜設定し、入力操作に支障のない画像として表示するようにすることは周知の技術である（例えば、特開２０１０−２６２４４６号公報、段落【０１０３】−【０１０７】、【図１１】、特開２００９−１６３３５６号公報、段落【００６４】−【００６７】、【図６】を参照。）。そして、引用発明においても、本願発明の仮想キーボードに相当する「キー選択領域１１３」に表示される文字の数は６に限定されず２以上の任意の数に設定することは想定されているので、「キー選択領域１１３」に表示される文字の数を設定する時に、スクリーンサイズ、文字サイズ、キー間隔等に従うようにして入力操作に支障のない画像として表示できるような文字の数に設定することは、当業者であれば容易になし得ることである。
　よって、引用発明及び周知の技術に基づいて本願発明のように構成することは、当業者であれば容易になし得ることである。
　そして、本願発明の作用効果も、引用発明及び周知の技術から当業者が予測できる範囲のものである。
　
６．むすび
　以上のとおり、本願発明は、引用発明及び周知の技術に基づいて当業者が容易に発明をすることができたものであるから、特許法２９条２項の規定により特許を受けることができない。
　したがって、本願は、その他の請求項について論及するまでもなく拒絶すべきものである。
　よって、結論のとおり審決する。